(57)【要約】【課題】ＶＯＤコンテンツの利用実績が少ない場合においても、通常のデジタル放送を視聴するだけで、自身の嗜好を反映したＶＯＤコンテンツ推薦を受けることができるＶＯＤ用番組推薦システムを提供する。【解決手段】受信機は、再送信システムからのデジタル放送の番組情報とユーザの操作情報から嗜好データを生成する嗜好データ生成部と、嗜好データをＶＯＤサーバーに通信する通信部とを備え、ＶＯＤサーバーは、ＶＯＤコンテンツの情報を管理するコンテンツ情報管理部と、受信機より送信された嗜好データとコンテンツ情報管理部の管理するＶＯＤコンテンツ情報からユーザの嗜好に合致するＶＯＤコンテンツを推薦するＶＯＤコンテンツ推薦部と、ＶＯＤコンテンツ推薦部の推薦結果のＶＯＤメニュー情報を生成するメニュー生成部を備えることにより、ユーザの嗜好に合致するＶＯＤコンテンツの情報を受信機に送信することができる。【選択図】図１
2009033377.tif 000002
【特許請求の範囲】
【請求項１】
デジタル放送の再送信サービスを行う再送信システムと、ＶＯＤサービスを送信するＶＯＤサーバーと、前記サービスを受信する受信機からなるＶＯＤ用番組推薦システムにおいて、
前記受信機は、前記再送信システムからの前記デジタル放送の番組情報とユーザの操作情報から嗜好データを生成する嗜好データ生成部と、前記嗜好データを前記ＶＯＤサーバーに通信する通信部とを備え、
前記ＶＯＤサーバーは、ＶＯＤコンテンツの情報を管理するコンテンツ情報管理部と、前記受信機より送信された前記嗜好データと前記コンテンツ情報管理部の管理する前記ＶＯＤコンテンツ情報からユーザの嗜好に合致するＶＯＤコンテンツを推薦するＶＯＤコンテンツ推薦部と、前記ＶＯＤコンテンツ推薦部の推薦結果のＶＯＤメニュー情報を生成するメニュー生成部と、前記受信機に前記ＶＯＤメニュー情報を送信するメニュー情報送信部を備えたことを特徴とするＶＯＤ用番組推薦システム。
【請求項２】
前記受信機は、更に嗜好データ送信の可否を設定する嗜好データ送信許諾部を設けたことを特徴とする請求項１記載のＶＯＤ用番組推薦システム。
【請求項３】
前記メニュー生成部において、ＶＯＤコンテンツ推薦結果の提示にＢＭＬ（Ｂｒｏａｄｃａｓｔ  Ｍａｒｋｕｐ  Ｌａｎｇｕａｇｅ）を使用することを特徴とする請求項１及び２いずれかに記載のＶＯＤ用番組推薦システム。
【発明の詳細な説明】
【技術分野】
【０００１】
本発明は、デジタル放送の再送信とＶＯＤサービスを行う、双方向デジタルＣＡＴＶ放送システムに関するものである。
【背景技術】
【０００２】
放送のデジタル化が進む中、大手ＣＡＴＶ局では従来の再送信サービスに加えて、ＶＯＤサーバーを使用したＶＯＤサービスが開始されてきており、加入者は多数のコンテンツの中から自分の視聴したいコンテンツを選択することが可能になってきている。
【０００３】
しかし、利用可能なＶＯＤコンテンツが増加していく中、自分の視聴したいコンテンツを見つけることが困難になってきている。
【０００４】
そこで、利用者の嗜好に合致したコンテンツの検索を容易にする技術として、ＶＯＤコンテンツの利用履歴から次回視聴されるコンテンツを予測する方法が特許文献１に提案されている。
【０００５】
また同様に、ＶＯＤコンテンツの利用履歴からダイジェスト情報を生成して利用者のコンテンツ検索を容易にする技術が特許文献２に提案されている。
【０００６】
一方、番組情報を運用するデジタル放送では、番組情報と利用者の視聴履歴から、嗜好データを受信機内で生成し、利用者の嗜好に合った番組を検索し、利用者に推薦する機能は既に実現されている（非特許文献１）。
【特許文献１】特開２００４−２２２２３９号公報
【特許文献２】特開２００４−２８２２１２号公報
【非特許文献１】片岡ほか“ユーザ適応型の番組推薦検索機能を搭載した民生用ＴＶの開発”２００６年映像情報メディア学会年次大会
【発明の開示】
【発明が解決しようとする課題】
【０００７】
しかしながら、ＶＯＤコンテンツの利用履歴から利用者の嗜好に合致するＶＯＤコンテンツを検索する場合、ある程度の利用実績が無いと、利用者の嗜好を反映した検索結果を得ることができない。
【０００８】
そのため、検索の精度を上げるためには、多数のコンテンツを購入しなければならず、また、ＶＯＤコンテンツの多くは有料であるため、利用者に多大な負担を与えてしまうという課題がある。
【０００９】
また、放送コンテンツの場合の推薦コンテンツは、その時点で放送されるコンテンツに限定されるため、候補となるコンテンツは放送に従って、時事刻々変化するが、ＶＯＤコンテンツの場合は、１ヶ月に１度程度定期的に新着コンテンツが追加されるのみで、候補となるＶＯＤコンテンツは変化しないため、利用者の好みに従ってＶＯＤコンテンツを推薦すると、いつも同じコンテンツを推薦してしまうという課題がある。
【００１０】
本発明の目的は、このように利用者に負担を与えることなく、いつも同じコンテンツを推薦することなく、利用者の嗜好に合致するＶＯＤコンテンツを推薦し、利用者が容易に好みのＶＯＤコンテンツを選択できるようにすることにある。
【課題を解決するための手段】
【００１１】
前記従来の課題を解決するために、本発明のＶＯＤ用番組推薦システムは、デジタル放送の再送信サービスを行う再送信システムと、ＶＯＤサービスを送信するＶＯＤサーバーと、サービスを受信する受信機からなるＶＯＤ用番組推薦システムにおいて、受信機は、再送信システムからのデジタル放送の番組情報とユーザの操作情報から嗜好データを生成する嗜好データ生成部と、嗜好データを前記ＶＯＤサーバーに通信する通信部とを備え、ＶＯＤサーバーは、ＶＯＤコンテンツの情報を管理するコンテンツ情報管理部と、受信機より送信された嗜好データとコンテンツ情報管理部の管理する前記ＶＯＤコンテンツ情報からユーザの嗜好に合致するＶＯＤコンテンツを推薦するＶＯＤコンテンツ推薦部と、ＶＯＤコンテンツ推薦部の推薦結果のＶＯＤメニュー情報を生成するメニュー生成部と、受信機にＶＯＤメニュー情報を送信するメニュー情報送信部を有し、ユーザの嗜好に合致するＶＯＤコンテンツの情報をメニュー画面として生成し、受信機に送信する。
【００１２】
本構成によって、視聴履歴が多いデジタル放送の再送信サービスの番組情報と利用者の視聴情報をから生成したユーザの嗜好データを作成し、ＶＯＤコンテンツの推薦に活用することができる。
【発明の効果】
【００１３】
本発明によれば、ＶＯＤコンテンツの利用実績が無い場合においても、利用者は意識することなく通常のデジタル放送を視聴するだけで自身の嗜好を反映したＶＯＤコンテンツ推薦を受けることができる。
【００１４】
また、いつも同じコンテンツを推薦してしまうことがなく、適切なＶＯＤコンテンツを利用者に推薦することができる。これにより、ＣＡＴＶ局はＶＯＤサービスの利便性を向上し有料コンテンツの利用率アップを図ることができる。
【発明を実施するための最良の形態】
【００１５】
（実施の形態１）
本発明の実施の形態１に係るＶＯＤ用番組推薦システムについて、図を参照しながら説明する。
【００１６】
図１は本実施の形態１に係るＶＯＤ用番組推薦システムの構成を示すブロック図である。本実施の形態では、ＶＯＤサービスを送信するＶＯＤサーバー１、デジタル放送の再送信サービスを行う再送信設備２およびそれらの信号を混合する混合器３で送信設備を構成する。ＶＯＤサーバー１、再送信装置２および混合器３はＣＡＴＶ局に設置されている。これらのサービスを受信する受信設備として、受信機４がデジタルＣＡＴＶ放送の契約者の各自宅内に混合器３に接続されて設置される。
【００１７】
ＶＯＤサーバー１はリクエストを受けたＶＯＤコンテンツ登録部１６に登録されたＶＯＤコンテンツを再生し、ＶＯＤコンテンツ送出部１７から、混合器３を経由し、ケーブルを通して受信機４に送信する。
【００１８】
再送信装置２は、地上波デジタル放送、ＢＳ（放送衛星）デジタル放送、ＣＳ（通信衛星）デジタル放送等の公共デジタル放送のデジタル放送波を受信し、それらのデジタル放送波をケーブルを通して受信機４に再送信する。
【００１９】
混合機３は、ＶＯＤサーバー１および再送信装置２より出力されるデジタル放送波を混合し、受信機４に送信する。
【００２０】
受信機４は、ＶＯＤサーバー１および再送信装置２から混合器３を経由して送信されるデジタル放送波を受信し、復調した映像データを映像処理装置６に出力する。
【００２１】
更に、ＶＯＤサーバー１の内部構成を詳細に説明する。ＶＯＤサーバー１はＶＯＤコンテンツが登録されているＶＯＤコンテンツ登録部１６と、登録されているＶＯＤコンテンツの情報を管理するＶＯＤコンテンツ情報管理部１４、受信機４とユーザ情報や嗜好データの通信を行う通信部１５、ＶＯＤコンテンツ情報管理部１４から入力したＶＯＤコンテンツ情報と通信部１５から入力した嗜好データからユーザの嗜好に合致するＶＯＤコンテンツの推薦を行うＶＯＤコンテンツ推薦部１１、ＶＯＤコンテンツ情報管理部１４から入力したＶＯＤコンテンツ情報とＶＯＤコンテンツ推薦部１１から入力したＶＯＤコンテンツの推薦情報からＶＯＤ用メニュー情報の生成を行うメニュー情報生成部１２、ＶＯＤ用のメニュー情報を送出するメニュー情報送出部１３、受信機４から要求されＶＯＤコンテンツ登録部１６に登録されたＶＯＤコンテンツの送出を行うＶＯＤコンテンツ送出部１７で構成されている。
【００２２】
更に、受信機４の内部構成を詳細に説明する。受信機４はデジタル放送波の受信復調を行うチューナ部４３、復調したデジタル放送信号から番組データを抽出する番組データ抽出部４２、抽出された番組データを記録する番組データ記録部４１、リモコンである入力装置５からのユーザの操作を受信する操作部４８、操作部４８から入力したユーザの操作内容に従ってチューナ部４３に対して選局指示を行う選局制御部４５、入力装置５から入力したユーザの操作情報や視聴実績と番組データ抽出部４２から入力した番組データから嗜好データを生成する嗜好データ生成部４７、生成された嗜好データを記録する嗜好データ記録部４６、番組データ記録部４１から入力した番組データと嗜好データ記録部４６から入力した嗜好データから番組推薦を行う番組推薦部４４、操作部４８から入力したユーザの操作に従ってＶＯＤサーバー１の通信部１５との通信を行う通信部４９、チューナ部４３が復調した番組データや番組推薦部４４から入力した番組推薦状方を映像処理装置６に出力する表示部４ａで構成されている。
【００２３】
また、ＶＯＤサーバー１の通信部１５と受信機４の通信部４９は、ケーブルモデムやＡＤＳＬモデムなどを介してインターネット回線で接続されている。
【００２４】
次に、図１のブロック図を用いて再送信装置２より送信される、デジタル放送受信時の受信機４の番組推薦動作について説明する。
【００２５】
操作部４８はリモコンの入力装置５からの利用者の操作を受信すると、選局制御部４５に指示を出しチューナ部４３に対して選局制御を行う。再送信設備２から混合機３経由で入力されたデジタル放送信号はチューナ部４３で受信復調され、映像データと番組データなどの付加データに分離された後、表示部４ａを経てＴＶモニタの映像処理装置６へ映像データが出力されるとともに、番組データ抽出部４２に付加データが送出され、番組データ抽出部４２はデジタル放送信号の番組データを番組データ記録部４１に蓄積させる。
【００２６】
嗜好データ生成部４７には、操作部４８からの操作情報と、番組データ抽出部４２から出力される番組データが入力され、利用者が視聴した番組に関する情報（ジャンル、出演者、放送時間帯など）が嗜好データを作成し、嗜好データ記録部４６に蓄積させる。
【００２７】
番組推薦部４４は嗜好データ記録部４６に蓄積された嗜好データを基に番組データ記録部４１に蓄積された番組データを検索し、嗜好に合致する番組が存在した場合は、視聴中の映像データに検索結果を多重する、あるいはＥＰＧ表示要求時に検索された番組を強調するなど、視聴者が識別可能なデータとして表示部４ａへ出力することで視聴者に対して番組推薦を行う。
【００２８】
次に、図１および図２を用いてＶＯＤサーバー１より送信されるＶＯＤサービス受信時の番組推薦動作について説明する。
【００２９】
メニュー情報生成部１２はＶＯＤコンテンツ管理部１４からＶＯＤコンテンツの情報を取得し、ＶＯＤコンテンツ選択用のメニュー画面を生成し、メニュー情報送出部１３より受信機４に送信する。
【００３０】
受信機４は操作部４８よりＶＯＤサービスの選局を指示されると、選局制御部４５に指示を出しチューナ部４３に対してメニュー情報送出部１３からの信号が送出されている周波数への選局を指示する。入力されたメニュー情報送出部１３からのＶＯＤメニュー信号はデジタル放送受信時と同様に受信復調され、表示部４ａを経て映像処理装置６へ出力される。
【００３１】
受信機４は通信部４９より嗜好データ４６をＶＯＤサーバー１へ送信し、ＶＯＤサーバー１は送信された嗜好データを通信部１５で受信し、ＶＯＤコンテンツ推薦部１１に送信する。
【００３２】
ＶＯＤコンテンツ推薦部１１は送信された嗜好データを基に検索条件データを生成し、ＶＯＤコンテンツ情報管理部１４の管理するＶＯＤコンテンツの情報を検索、その検索結果をメニュー情報生成部１２へ送信する。
【００３３】
メニュー情報生成部１２は送信された検索結果から推薦するＶＯＤコンテンツを提示するメニュー画面を生成し、メニュー情報送信部１３を経て受信機４へ送信する。
【００３４】
受信機４はメニュー情報送信部より送信されたメニュー画面を表示部４ａへ出力することで視聴者に対して検索結果の提示を行う。
【００３５】
嗜好データの送信は、受信機４に表示されたＶＯＤメニュー画面より、番組推薦を指示する項目（例えば「オススメ」などの項目）を選択した際、あるいはＶＯＤメニュー画面の表示を行った際に行う。
【００３６】
また、嗜好データに個人情報そのものが含まれるわけではないが、利用者の趣味趣向を反映したデータであるため、ＶＯＤサーバーへ送信を行う際には暗号化を行うことも考えられる。
【００３７】
図２はＶＯＤコンテンツ情報管理部１４が管理するＶＯＤコンテンツ情報管理テーブルの例を示したものである。ＶＯＤコンテンツ情報管理テーブルは、ＶＯＤコンテンツ毎に管理され、放送時間や主演者などといったコンテンツの属性に加えて、当該コンテンツがＶＯＤサーバーに登録された日時を管理する。また、同様にＶＯＤコンテンツ情報管理部１４は推薦・視聴状況管理テーブルを保持し、当該コンテンツを加入者に推薦した日時、加入者が当該コンテンツを視聴したか否かを表すフラグを加入者毎に管理する。
【００３８】
ＶＯＤコンテンツ情報管理部１４は、受信機４から当該コンテンツの視聴要求を受信すると、推薦・視聴状況管理テーブル中の視聴フラグを更新する。また、ＶＯＤコンテンツ推薦部１１は当該コンテンツを加入者に対して推薦した際に、ＶＯＤコンテンツ情報管理部１４に通知を行い、推薦・視聴状況管理テーブル中の推薦日時を更新する。
【００３９】
ＶＯＤコンテンツ推薦部１１は、受信機４より送信された嗜好データを基に生成する検索条件データに、例えば「コンテンツ更新日時が１週間前以内」といったような条件を加えてＶＯＤコンテンツ情報を検索すれば、過去１週間以内に更新されたＶＯＤコンテンツが優先的に検索結果に反映されるようにすることができる。
【００４０】
また、検索条件データに推薦日時を加えれば、加入者に対して一度推薦したコンテンツを推薦しないようにすることもできる。同様に、検索条件データに視聴フラグを加えれば、加入者が一度視聴したコンテンツは推薦しないようにすることもできる。
【００４１】
さらに、再送信設備２より送出中の番組情報を通信部１５を経由し（図示せず）、ＶＯＤコンテンツ推薦部１１に送信し、前記検索条件データに、再送信設備２より送信された番組情報を加えれば、現在放送中あるいは今後１週間以内に放送される番組に関連したＶＯＤコンテンツが優先的に検索結果に反映されるようにすることもできる。
【００４２】
また、受信機４の番組推薦部４４の推薦結果を通信部４９、通信部１５を経由し（図示せず）、ＶＯＤコンテンツ推薦部１１に送信し、前記検索条件データに、番組推薦部４４より送信された推薦結果を加えれば、受信機４がデジタル放送受信時に推薦した番組に関連したＶＯＤコンテンツが優先的に検索結果に反映されるようにすることもできる。
【００４３】
かかる構成によれば、受信機４でデジタル放送の視聴実績から生成した嗜好データを、ＶＯＤサーバー１に設けたＶＯＤコンテンツ推薦部１４へ送信することにより、ＶＯＤサービス利用時においても、デジタル放送の視聴実績を反映した推薦が可能となり、利用者は意識することなく通常のデジタル放送を視聴するだけで自身の嗜好を反映したＶＯＤコンテンツ検索結果の提示を受けることができる。
【００４４】
なお、本実施の形態において、ＶＯＤコンテンツ推薦部１１をＶＯＤサーバー１内部に設けたが、ＶＯＤサーバー１とネットワーク接続された別装置に設けても良い。
【００４５】
（実施の形態２）
本発明の実施の形態２に係るＶＯＤ用番組推薦システムについて、図を参照しながら説明する。
【００４６】
図３は本実施の形態２に係る受信機４の構成を示すブロック図である。他の構成は図１と同様であるので説明を省略する。
【００４７】
受信機４中の嗜好データ記録部４６と通信部４９の間に、嗜好データの送信可否設定を保持し、ＶＯＤサーバー１への送信可否を判断する嗜好データ送信許諾部４ｂを追加し、操作部４８からの操作で利用者が嗜好データ送信の可否を選択した際、嗜好データ送信許諾部４ｂは操作部４８からの指示に従い送信可否の設定を更新する。操作部４８から嗜好データの送信要求が行われると、嗜好データ送信許諾部４ｂは自身の嗜好データ送信可否設定を参照し、送信が許可されている場合のみ、ＶＯＤサーバー１へ嗜好データの送信を行う。
【００４８】
かかる構成によれば、嗜好データの送信可否を判断する嗜好データ送信許諾部４ｂを設けることにより、利用者の選択に応じて嗜好データの送信可否を判断することが可能となり、利用者が意図せずＶＯＤサーバー１へ嗜好データを送信してしまうことを防ぐことができる。
【００４９】
（実施の形態３）
本発明の実施の形態３に係るＶＯＤ用番組推薦システムについて、図を参照しながら説明する。
【００５０】
図４は本実施の形態３に係る受信機４の構成の示すブロック図である。他の構成は図１と同様であるので説明を省略する。
【００５１】
受信機４に嗜好データ記録部４６、番組推薦部４４、およびＢＭＬブラウザ４ｄからアクセス可能なメモリ部４ｃを追加し、嗜好データ記録部４６は自身の嗜好データを更新する毎にメモリ部４ｃに嗜好データを記録、番組推薦部４４は推薦結果を出力する毎にメモリ部４ｃに推薦結果を記録する。これにより、ＶＯＤメニュー画面の記述にＢＭＬを使用し、ＢＭＬに定義されている放送用拡張関数で上記メモリ領域の内容を読み出すことで、ＢＭＬブラウザ４ｄはＶＯＤサーバー１に送信するデータを取得することができる。
【００５２】
さらに、ＢＭＬブラウザ４ｄが取得したデータの送信にＢＭＬの双方向通信関数を使用することで、ＢＭＬデータ放送に対応した受信機であれば嗜好データ記録部４６のデータ、および番組推薦部４４の出力結果をＢＭＬの双方向関数を使用して通信部４９からＶＯＤサーバー１へ送信することができる。
【００５３】
以上のように、本実施の形態によれば、ＢＭＬデータ放送に対応した受信機を利用することで、嗜好データや番組推薦結果をＶＯＤサーバーに送信することができる。
【００５４】
かかる構成によれば、嗜好データ記録部４６、番組推薦部４４、およびＢＭＬブラウザ４ｄからアクセス可能なメモリ部４ｃを追加することにより、ＶＯＤメニュー画面の記述にＢＭＬを使用すれば、ＢＭＬブラウザの放送用拡張関数でメモリ部４ｃにアクセスが可能となり、ＢＭＬデータ放送に対応した受信機であれば、嗜好データや番組推薦結果をＶＯＤサーバーに送信することができる。
【００５５】
なお、本実施の形態において、ＶＯＤメニュー画面の記述にＢＭＬを使用し、ＢＭＬの放送用拡張関数でメモリ部４ｃにアクセスを行ったが、メモリ部４ｃへのアクセスが行える手続きが用意されていれば、ＨＴＭＬなど他のマークアップ言語を使用しても良い。
【産業上の利用可能性】
【００５６】
本発明のＶＯＤ用番組推薦システムは、デジタル放送の再送信とＶＯＤサービスを行う、双方向デジタルＣＡＴＶ放送システムに利用することができる。
【図面の簡単な説明】
【００５７】
【図１】実施の形態１に係るＶＯＤ用番組推薦システムの構成を示すブロック図
【図２】ＶＯＤコンテンツ情報管理部が管理するＶＯＤコンテンツテーブルの図
【図３】実施の形態２に係る受信機の構成を示すブロック図
【図４】実施の形態３に係る受信機の構成を示すブロック図
【符号の説明】
【００５８】
１    ＶＯＤサーバー
２    再送信設備
３    混合器
４    受信機
５    入力装置
６    映像処理装置
１１    ＶＯＤコンテンツ推薦部
１２    メニュー情報生成部
１３    メニュー情報送出部
１４    ＶＯＤコンテンツ情報管理部
１５    通信部
１６    ＶＯＤコンテンツ登録部
１７    ＶＯＤコンテンツ送出部
４１    番組データ記録部
４２    番組データ抽出部
４３    チューナ部
４４    番組推薦部
４５    選局制御部
４６    嗜好データ記録部
４７    嗜好データ生成部
４８    操作部
４９    通信部
４ａ    表示部
４ｂ    嗜好データ送信許諾部
４ｃ    メモリ部
４ｄ    ＢＭＬブラウザ
【図１】
2009033377.tif 000003
【図２】
2009033377.tif 000004
【図３】
2009033377.tif 000005
【図４】
2009033377.tif 000006